(57)【要約】【課題】手洗い部の形態に関わらず使用でき、しかも安定した薬液の供給が可能な薬液供給具を提供する。【解決手段】水洗トイレにおける貯水タンク上部の手洗い部に配置され、該手洗い部に供給される水とともに前記貯水タンク内に薬液を供給する薬液供給具であって、薬液が収容され、下端に口部が形成された薬液容器１と、この薬液容器１を支持し、手洗い部上に配置される支持体２と、上部が口部１１に接続され、支持体２の底部側から薬液を排出する排出孔３１１を下部に備えた排出部３１と、排出孔３１１の近傍において排出部３１に当接または近接し、排出孔３１１から排出される薬液を案内するように支持体２の下方へと延びる案内部材２３とを備えていることを特徴とする薬液供給具。【選択図】  図５
2004300861.tif 000002
【特許請求の範囲】
【請求項１】
水洗トイレにおける貯水タンク上部の手洗い部に配置され、該手洗い部に供給される水とともに前記貯水タンク内に薬液を供給する薬液供給具であって、
薬液が収容され、下端に口部が形成された薬液容器と、
前記薬液容器を支持し、前記手洗い部上に配置される支持体と、
上部が前記口部に接続され、前記支持体の底部側から薬液を排出する排出孔を下部に備えた排出部と、
前記排出孔の近傍において前記排出部に当接または近接し、前記排出孔から排出される薬液を案内するように前記支持体の下方へと延びる案内部材と
を備えていることを特徴とする薬液供給具。
【請求項２】
前記案内部材の少なくとも一部は、前記手洗い部の排水口に挿入可能である請求項１に記載の薬液供給具。
【請求項３】
前記支持体は、前記排水口に挿入される脚部を備えており、該脚部は前記排出孔の近傍において前記案内部材の周囲を取り囲む遮蔽部材を備えている請求項１または２に記載の薬液供給具。
【請求項４】
前記案内部材は薬液が流通する複数の溝部を備え、該複数の溝部は下方へと延びている請求項１から３のいずれかに記載の薬液供給具。
【請求項５】
底壁、側壁、及び上壁で囲まれ、前記排出部と分離された室を形成する貯留部をさらに備え、該貯留部は前記口部を介して前記薬液容器と連通する連通孔、及び外気の流入が可能な空気流通孔を有している請求項１から４のいずれかに記載の薬液供給具。
【発明の詳細な説明】
【０００１】
【発明の属する技術分野】
本発明は、水洗トイレにおける貯水タンク上部の手洗い部に配置され、この手洗い部に供給される水とともに貯水タンク内に薬液を供給する薬液供給具に関するものである。
【０００２】
【従来の技術】
この種の薬液供給具としては、例えば特許文献１に示すものがある。図７に示すように、この薬液供給具は、薬液容器１０１と、これを支持する支持体１０２とを備えており、この支持体１０２の中に配置された含浸体１０３に薬液容器１０１から排出される薬液が吸収される。支持体１０２は薬液容器１０１とカバー部材１０４とによってその上面が塞がれている。また、支持体１０２の底部には複数の開口及びガイド部材１０５が形成されており、貯水タンクの手洗い部１０６に供給される流水がガイド部材１０５によって開口へと案内されるように構成されている。そして、開口から支持体１０２内へ流入した水は、含浸体１０３に接触して薬液を洗い流し、貯水タンクへと流れ込む。
【０００３】
以上のように構成された薬液供給具では、カバー部材１０４により薬液容器１０１の上方から流下する水が含浸体１０３に直接接触するのを防止するとともに、支持体１０２の底部に開口及びガイド部材１０５を設けることにより支持体１０２内部への水の過剰な流入を制限している。
【０００４】
ところが、この薬液供給具では、支持体１０２の内部に流入した水が含浸体１０３に直接接触するため、含浸体１０３に吸収された薬液は、この流水によって薄められていく。そのため、薬液容器１０１からは薄まった薬液を補完するために必要以上に薬液が排出されやすく、容器１０１内の薬液の減少が早いという問題があった。
【０００５】
また、特許文献２に記載の薬液供給具は、薬液を収容する薬液容器と、この薬液容器の上方に配置され、薬液供給具の上方から流下する水を一時的に保持する貯水部とを備えている。薬液容器の上部には弾性部が設けられており、この弾性部は貯水部によって押圧されるようになっている。そして、放水タップから水が流下し貯水部に溜まると、その重量によって弾性部は押圧されて変形し、これによって薬液容器の内圧が高まり薬液が排出される。なお、貯水部には、排出口が設けられており、貯水部に貯まった水は徐々に排出されていく。これにより貯水部の重量が軽くなるため、弾性部が元の状態に戻るのに伴って、容器内が負圧になり薬液の排出が停止する。
【０００６】
ところで、上記薬液供給具では、貯水部に水を溜めるために上方から水を供給する必要があるので、薬液供給具を放水タップの下方に配置しなければならない。しかしながら、手洗い部の形態によっては放水タップの下方に薬液供給具を配置するだけのスペースがないものもある。したがって、この薬液供給具は、すべてトイレにおいて必ずしも使用できるとは限らず、汎用性に欠けるという問題がある。
【０００７】
また、特許文献３には、次のような薬液供給具が開示されている。この薬液供給具は、薬液を収容する薬液容器と、この薬液容器内に下方から挿入される薬液供給栓とを備えており、容器内の薬液は、薬液供給栓の表面に形成された細孔、細溝等を経て容器の下方に配置された薬液貯留槽へと供給される。そして、薬液貯留槽に貯留された薬液は、手洗い部を流れる流水で洗い流される。
【０００８】
この薬液供給具では、薬液貯留槽内に流水を導入する必要があるが、手洗い部の形状、或いは放水タップの位置によっては、流水を貯留槽へ導入できるように配置できない場合があり、薬液を確実に供給するのが難しいという問題がある。
【０００９】
そこで、本出願人は、以下のような薬液供給具を提案している。以下、図８及び図９を参照し、これについて説明する。図８は、薬液供給具の正面図（ａ）及び側面図（ｂ）であり、図９は薬液供給具の分解図である。
【００１０】
図８及び図９に示すように、この薬液供給具は、薬液を収納する薬液容器５１と、この薬液容器５１から薬液を排出する排出管５３と、排出管５３を経た薬液を所定の位置まで案内する薬液供給部材５５とを備えている。排出管５３は後述する調整部材５７と一体的に形成されており、薬液容器５１と薬液供給部材５５との間に配置されている。そして、これらの部材は、手洗い部に配置されるカップ状の支持体５９によって支持されている。
【００１１】
図１０は、薬液供給部材の平面図（ａ）及び側面図（ｂ）である。同図に示すように、薬液供給部材５５は、プラスチックで形成され、排出管５３の一端部がほぼ当接する基部６１と、この基部６１の両側縁（同図の上下辺）から下方へ傾斜する一対の案内板６３とを備えている。基部６１において排出管５３が当接する部分及びその近傍には薬液が流通可能な複数の溝６５が幅方向（同図の左右方向）に形成されており、これらの溝６５のうち、中央に配置されたものが案内溝６７を構成している。この案内溝６７は基部６１を横切って両案内板６３の端部まで延びており、薬液を基部６１から案内板６３側へ導くようになっている。また、図８に示すように、各案内板６３の端部は、支持体５９の底面から側面に亘って形成された開口６９から突出している。
【００１２】
図１１は、調整部材５７の拡大断面図である。同図に示すように、調整部材５７は、排出管５３と一体的に、正面視Ｕ字形の箱状に形成されており、その中央上部に薬液容器５１下端の口部５２と接続する接続部５６が設けられている。接続部５６は、上端が鋭利な筒状に形成され、排出管５３の周囲を取り囲むように配置されている。また、調整部材５７は、その開放された下端縁部が薬液供給部材５５の基部６１と当接することで収納室５７ａを形成している。そして、排出管５３から溝６５を経た薬液は、この収納室５７ａに貯留されるとともに、その一部が上記案内溝６７を通過して案内板６３へと流れるようになっている。収納室５７ａの上部両端には外部と連通する空気流通孔７１が形成され、さらに排出管５３の周囲には、薬液容器５１と収納室５７ａとを連通させる複数の連通孔７３が形成されている。
【００１３】
図８に示すように、支持体５９の底面には、複数の脚部７５が形成されており、この脚部７５が手洗い部に形成された排水口に挿入される。これにより、薬液供給具を手洗い部上に安定して設置することができ、流水によって倒れるのを防止することができる。
【００１４】
上記のように構成された薬液供給具は、次のように動作する。すなわち、薬液容器５１内の薬液は排出管５３を通って薬液容器５１から流出し、溝６５を介して収納室５７ａに貯留されるとともに、その一部は案内溝６７を介して案内板６３へと流れ出す。そして、案内板６３上の薬液は、フラッシュ時に供給される水に洗い流されて貯水タンクの中に流れ込む。なお、このとき供給される水は、手洗い部上を薬液供給具の側方から流れてくる場合、及び薬液供給具の上方から流下するいずれの場合でも、案内板６３に直接接触し薬液を洗い流す。
【００１５】
このように、この薬液供給具では、流水が薬液供給部材５５の基部６１に直接接触せず、案内板６３に接触して薬液を洗い流すため、特許文献１記載の薬液供給具とは異なり、薬液容器から薬液が過剰に排出されるのを防止することができる。なお、薬液の過剰な排出は、案内板６３への薬液の流れが主として案内溝６７を介するようにしていること、及び、調整部材５７を設けていることからも制限されている。
【００１６】
また、調整部材５７は、次に説明するように、温度変化によって薬液容器５１内に圧力変化が生じた場合の緩衝作用をなす。例えば室温が上昇して薬液容器５１が暖められた場合には、容器５１内の空気が膨張し容器５１内は正圧になる。この場合、容器５１内の薬液は押し出されて排出されるが、この薬液の大半は排出管５３及び溝６５を介して収納室５７ａ内に流入するため、案内板６３の方へ流出し続けることが防止される。
【００１７】
一方、例えば薬液容器が流水によって冷やされて温度が低下した場合には、薬液容器５１内の空気は収縮して負圧になる。これにより、収納室５７ａ内の薬液は連通孔７３を介して薬液容器５１内へ引き戻される。したがって、案内板６３の薬液が容器５１側へ戻されるのを防止できる。このように、調整部材５７は、温度変化によって薬液容器５１内に圧力変化が生じた場合であっても、ほとんどの薬液が薬液容器５１と収納室５７ａとの間で流通するため、薬液容器５１内の薬液が過剰に流出したり、或いは流出が制限されたりするのを防止することができる。
【００１８】
ところが、上記薬液供給具では、次のような問題があった。すなわち、フラッシュにより、流水が薬液供給具へと流れると、流水は案内板６３の薬液を洗い流すのみならず、その一部が案内板６３を伝って排出管５３及び収納室５７ａ内へ流れ込むことがある。これにより収納室５７ａ内の薬液は薄められる。このとき、流水の温度が室温より低いと、薬液容器５１は冷やされて容器５１内が負圧になる。そのため、容器５１内には薄められた収納室５７ａの薬液が吸い込まれるとともに、案内板６３を伝ってきた流水も排出管５３を介して吸い込まれ、容器５１内で薬液と混ざり合う。そして、フラッシュ後、流水によって冷やされた薬液容器５１は、徐々に室温まで暖められる。これにより、容器５１内は正圧になり、薬液が排出される。
【００１９】
以上のような容器内の圧力の変化が繰り返されると、流入する水によって薬液の粘度が低下していく。そして、薬液の粘度が水に近い状態になると、薬液の排出が一気に促進される。そのため、薬液供給具の使用初期には、フラッシュ毎に流水が容器５１内に流れ込むため、容器５１内の薬液の減少は一見して非常に緩やかなものとなるが、使用後期には上記のように薬液の粘度が低下するため、容器５１内の薬液は流出しやすくなり、一気に減少することになる。これにより、使用者は使用後期に薬液の減少を顕著に感じるという問題が生じる。
【００２０】
一方、流水の温度が室温より高い場合でも、同様の問題が生じる。この場合、流水が薬液容器５１を暖めるため、容器５１内は正圧になり、薬液の排出が促進される。そして、フラッシュ後には、流水によって暖められた薬液容器５１が室温によって徐々に冷やされ、容器５１内は負圧になる。このとき、フラッシュ時の流水が収納室５７ａ内、及び排出管５３周辺に残存していると、この水が容器５１内に吸い込まれ、薬液の粘度が低下していく。
【００２１】
以上のことが繰り返された場合、流水の温度が室温より低い場合と比べると、容器内への水の混入は少ないものの粘度の低下は確実に進んでいく。また、容器５１内からの薬液の排出が進み、容器５１内に占める空気の体積が増加すると薬液の排出量は使用後期に増加傾向になる。すなわち、使用初期には容器５１内の空気の体積が小さいため、空気の膨張量が小さくこれによる薬液の排出量は大きくない。しかし、使用後期には容器５１内の空気の体積が大きくなるため、温度変化による空気の膨張量も大きく、これによって容器５１内の空気が薬液を押圧する圧力も大きくなる。したがって、使用後期には薬液の排出量が大きくなる。以上のことから、薬液の粘度が低下するのに加え、上記のような圧力が大きくなることにより、使用後期の薬液の排出量は増加することになる。これにより、薬液供給具の使用可能時間が減少するという問題が生じる。
【００２２】
【特許文献１】
特許第３３４５３９１号公報
【００２３】
【特許文献２】
特開２００２−８８８６８号公報
【００２４】
【特許文献３】
特開２００２−１４６８７９号公報
【００２５】
【発明が解決しようとする課題】
以上、現在提案されている薬液供給具について説明したが、いずれも手洗い部の形態によっては使用することができなかったり、或いは安定した薬液の供給ができないという問題を有している。
【００２６】
本発明は、上記問題を解決するためになされたものであり、手洗い部の形態に関わらず使用でき、しかも安定した薬液の供給が可能な薬液供給具を提供することを目的とする。
【００２７】
【課題を解決するための手段】
本発明は、上記課題を解決するためになされたものであり、水洗トイレにおける貯水タンク上部の手洗い部に配置され、該手洗い部に供給される水とともに前記貯水タンク内に薬液を供給する薬液供給具であって、薬液が収容され、下端に口部が形成された薬液容器と、前記薬液容器を支持し、前記手洗い部上に配置される支持体と、上部が前記口部に接続され、前記支持体の底部側から薬液を排出する排出孔を下部に備えた排出部と、前記排出孔の近傍において前記排出部に当接または近接し、前記排出孔から排出される薬液を案内するように前記支持体の下方へと延びる案内部材とを備えている。
【００２８】
この構成によれば、支持体の底面側に開放する排出孔の近傍に下方へと延びる案内部材が設けられており、排出孔から排出された薬液はこの案内部材に沿って下方へと案内される。ここで、案内部材は排出孔から下方へと延びているため、フラッシュ時に流れる水が案内部材に接触しても、この水が排出孔まで到達するのを抑制することができる。したがって、薬液容器内に水が混入して薬液が薄められるのを防止することができ、使用後期に薬液が急激に減少するのを防止することができる。その結果、安定した薬液の供給を実現することができる。
【００２９】
また、排出された薬液は、薬液供給具の底部側において外部に露出した状態となっているため、薬液供給具を手洗い部における流水の経路上に配置すれば、流水が確実に案内部材へ接触し、薬液は流水によって洗い流されて貯水タンクへ供給される。このように、本発明に係る薬液供給具は、流水の経路上に配置するだけで薬液を流水によって洗い流すことができるため、手洗い部の形態、例えば放水タップの位置に関わらず、種々のトイレにおいて使用することができる。
【００３０】
ここで、手洗い部の排水口には、放水タップの位置に関わらず、すべての流水が流れ込むため、この排水口に案内部材を挿入可能に構成しておくと、手洗い部上の流水によって案内部材上の薬液を確実に洗い流すことができる。また、案内部材上の薬液は、流水に洗い流されることにより、直接排水口に流入するため、例えば薬液に色素などの成分が含まれている場合であっても、この色素によって手洗い部が汚されるのを防止することができる。さらに、このように、案内部材を排水口に挿入可能とすれば、薬液供給具を手洗い部上に配置する際の位置決めを容易に行うことができる。
【００３１】
また、支持体が、前記排水口に挿入される脚部を備えるようにし、さらにこの脚部が前記排出孔の近傍において前記案内部材の周囲を取り囲む遮蔽部材を備えることが好ましい。このようにすると、支持体が排水口に挿入される脚部を備えているため、支持体を手洗い部上にしっかりと固定することができる。したがって、手洗い部上に供給される水によって薬液供給具が倒れるのを確実に防止することができる。また、この脚部に上記のような遮蔽部材が設けられているため、流水が排出孔に向かうのを防止できる。その結果、排出部を介して薬液容器内に水が流入するのをより確実に防止することができ、薬液が薄められるのを防止することができる。
【００３２】
また、上記案内部材が、薬液が流通する複数の溝部を備え、これらの溝が下方へと延びていることが好ましい。このようにすると、排出部から排出された薬液が下方へと流れ出しやすくなり、適度な量の薬液を排出させることが可能になる。
【００３３】
また、上記薬液供給具は、底壁、側壁、及び上壁で囲まれ、前記排出部と分離された室を形成する貯留部をさらに備え、該貯留部が前記口部を介して前記薬液容器と連通する連通孔、及び外気の流入が可能な空気流通孔を有しているものとすることができる。この構成によれば、貯留部は、温度変化によって薬液容器内に圧力変化が生じた場合の緩衝作用をなす。例えば室温が上昇して薬液容器が暖められた場合には、容器内の空気が膨張し容器内は正圧になる。この場合、容器内の薬液は押し出されて排出されるが、この薬液は排出部の他、貯留部にも流れ込むため、薬液が排出部へ流出し続けることが防止される。このとき、排出孔の総開口面積（すべての排出孔の開口面積の和）が、連通孔の総開口面積より小さいと、薬液は貯留部へ流れ込みやすくなり、薬液が排出部から過剰に排出されるのが防止される。
【００３４】
一方、流水によって冷やされる等して薬液容器の温度が低下し、薬液容器内の空気が収縮して負圧になると、薬液は、空気の圧力が作用している貯留部側から連通孔を介して薬液容器内へ吸い込まれる。したがって、薬液が排出部側から容器側へ戻されるのを防止でき、その結果、薬液の排出が制限されるのを防止することができる。このように、貯留部は、温度変化によって薬液容器内に圧力変化が生じた場合であっても、ほとんどの薬液が薬液容器と貯留部との間で流通するため、薬液容器内の薬液が過剰に流出したり、或いは流出が制限されたりするのを防止することができる。
【００３５】
また、この貯留部は、排出部とは分離して設けられているため、仮に排出部から水が流入した場合であっても、この水が貯留部に流れ込むことはなく、貯留部内の薬液が薄められることはない。したがって、貯留部の薬液が薬液容器内に流入することによって薬液が薄められるのをより確実に防止することかできる。
【００３６】
【発明の実施の形態】
以下、本発明に係る薬液供給具の実施形態について図面を参照しつつ説明する。図１は、薬液供給具の正面図（ａ）及び側面図（ｂ）であり、図２は薬液供給具の分解図である。
【００３７】
図１及び図２に示すように、この薬液供給具は、芳香洗浄剤等の薬液を収容する薬液容器１と、この薬液容器１を支持するカップ状の支持体２と、この支持体２内に取り付けられ薬液容器１と接続される調整部材３とを備えている。
【００３８】
図３は、調整部材の平面図（ａ）及び正面断面図（ｂ）である。同図に示すように、調整部材３は下端が開放された箱状に形成されており、中央に配置された排出部３１と、その周囲にリング状に形成された周枠部３２とを備えている。排出部３１は開放した上端に筒状の接続部３３が設けられるとともに、下端に排出孔３１１が形成されている。そして、接続部３３は薬液容器１下端の口部１１に接続されており、排出部３１には口部１１及び接続部３３を介して薬液容器１から薬液が流入する。接続部３３の下端における排出部３１の周囲には、複数の連通孔３４が形成されており、この連通孔３４を介して周枠部３２と接続部３３とが連通している。周枠部３２は平面視矩形状に形成され、その外周縁が上方へ膨出するとともに、この膨出部分の四隅に空気流通孔３２１が形成されている。なお、排出孔３１１は、薬液を排出するためのものであるが、薬液の過剰な排出を抑制するために、小径であることが好ましい。
【００３９】
図４は、支持体の平面図（ａ）及び正面断面図（ｂ）であり、図５は支持体と調整部材との分解斜視図（ａ）及び合体したときの正面断面図（ｂ）である。図４に示すように、この支持体１の底部内面には、調整部材３の下端外周縁に嵌合する矩形状の壁部２１が形成されており、この壁部２１と上記周枠部３２とで薬液が貯留される貯留部Ｓを形成する（図５（ｂ）参照）。壁部２１に囲まれた部分の中央には円形の底孔２２が形成されており、この底孔２２に上記排出部３１が嵌入するようになっている。そして、この底孔２２の下方には、排出孔３１１から排出された薬液を下方へと案内する案内部材２３が設けられており、この案内部材２３の上端部に排出部３１の下端が当接するようになっている。案内部材２３は、下方へ延びる板状に形成されており、垂直方向に延びる溝部２３１が複数形成されている（図１（ａ）参照）。
【００４０】
また、支持体２の底面には、底孔２２を取り囲む４本の長脚部２４と、これら長脚部２４の周囲に配置された４本の短脚部２５とが形成されている。これら脚部２４，２５のうち、長脚部２４は手洗い部の排水口（図示省略）に挿入可能となっており、各短脚部２５は長脚部２４が排水口に挿入されているときに、薬液供給具を水平に支持するようになっている。また、上記案内部材２３は、４つの長脚部２４と一体的に形成されて下方へと延びており、長脚部２４とともに排水口に挿入可能となっている。但し、案内部材２３は長脚部２４よりもやや短くなっているため、その下端部のみが排水口に挿入可能となっている。
【００４１】
さらに、長脚部２４には、案内部材２３を取り囲む遮蔽部材２６が設けられており、これによって手洗い部を流れる水が、排出孔３１１側へ向かうのを防止している。
【００４２】
本実施形態に係る薬剤供給具は、図５に示すように、調整部材３の下端縁の外側に、支持体２の壁部２１を嵌合して貯留部を液密状態に形成した後、調整部材３の接続部３３に薬液容器１の口部１１を嵌入することにより組み立てられる。
【００４３】
上記のように構成された薬液供給具は、次のように動作する。すなわち、薬液容器１の薬液は、排出部３１内に流入して排出孔３１１から流出した後、案内部材２３を伝って下方へと案内される。そして、案内部材２３上の薬液は、フラッシュ時に供給される水に洗い流されて貯水タンクの中に流れ込む。
【００４４】
また、貯留部Ｓは次に説明するように、温度変化によって薬液容器１に圧力変化が生じた場合の緩衝作用をなす。例えば温度が上昇して薬液容器１が暖められた場合には、容器１内の空気が膨張し容器１内は正圧になる。この場合、薬液容器１内の薬液は押し出されて排出されるが、この薬液は排出部３１の他、貯留部Ｓにも流れ込むため、薬液が排出部３１へ流出し続けることが防止される。
【００４５】
一方、流水によって冷やされる等して薬液容器１の温度が低下し、薬液容器１内の空気が収縮して負圧になると、薬液は空気の圧力が作用している貯留部Ｓ側から連通孔３４を介して薬液容器１内へ吸い込まれる。したがって、薬液が排出部３１側から容器１側へ戻されるのを防止でき、その結果、薬液の排出が制限されるのを防止することができる。このように、貯留部Ｓは、温度変化によって薬液容器１内に圧力変化が生じた場合であっても、ほとんどの薬液が薬液容器１と貯留部Ｓとの間で流通するため、容器１内の薬液が過剰に流出したり、或いは流出が制限されたりするのを防止することができる。
【００４６】
以上のように、本実施形態によれば、支持体２の底面側に薬液を排出する排出孔３１１が設けられており、排出孔３１１から排出された薬液は、そこから下方に向かって延びる案内部材２３に沿って下方へと案内される。ここで、案内部材２３は排出孔３１１から下方へと延びているため、フラッシュ時に流れる水が案内部材２３に接触しても、この水が案内部材２３を伝って排出孔３１１まで到達するのを抑制することができる。したがって、薬液容器１内に水が混入して薬液が薄められるのを防止することができ、従来例のように使用後期に薬液が急激に減少するのを防止することができる。
【００４７】
また、案内部材２３を伝う流水は、排出孔３１１を介してのみ薬液容器１内に到達する可能性があり、貯留部Ｓは、排出部３１とは分離するように設けられている。すなわち、流水が貯留部Ｓに直接流入することがなく、図８〜図１１に示す従来例のように収納室内の薬液が薄められ、これが薬液容器内に流入することもない。したがって、薬液容器１内に水が混入して薬液が薄められるのをより確実に防止することができる。
【００４８】
さらに、案内部材２３の下端部が手洗い部の排水口に挿入されているため、排出された薬液は、案内部材２３に沿って排水口内に案内される。ここで、手洗い部の排水口には、手洗い部の形態に関わらず、すべての流水が流れ込むため、案内部材２３上の薬液は流水によって確実に洗い流される。したがって、本実施形態に係る薬液供給具は、例えば放水タップの位置、手洗い部の形態に依存することなく、種々のトイレで使用することができる。また、案内部材２３上の薬液は、流水に洗い流されることにより、直接排水口に流入するため、例えば薬液に色素などの成分が含まれている場合であっても、この色素によって手洗い部が汚されるのを防止することができる。
【００４９】
以上、本発明の一実施形態について説明したが、本発明はこれに限定されるものではなく、その趣旨を逸脱しない限りにおいて種々の変更が可能である。例えば、上記案内部材２３は、必ずしも排水口に挿入されている必要はなく、排水口を臨み、流水に接触する位置に配置されていてもよい。また、上記説明では案内部材２３が排出部３１に当接しているが、排出孔３１１から排出される薬液が案内部材２３上へ乗り移れる程度に、案内部材２３と排出部３１とを隙間をあけて近接させるようにすることもできる。さらに、案内部材２３が支持体２内に入り込むようにすることもでき、この場合、案内部材２３と排出部３１とは支持体２内で当接或いは近接する。このようにすると、流水が排出部３１内に流入するのをより確実に防止することができる。
【００５０】
また、案内部材２３の形状は上記のように板状に限定されるものではなく、棒状、或いは筒状に形成されたものであってもよく、要するに薬液を下方に導けるものであれば特には限定されない。また、溝部２３１の態様も、垂直方向に延びるものに限定されず、例えば斜め下方に延びるように形成したり、或いは格子状やドット状に形成することもできる。
【００５１】
また、上記の説明では、排出孔３１１の数は１つであるが、複数設けることもできる。但し、薬液の過剰な排出を防止するために、排出孔３１１の総開口面積（すべての排出孔の開口面積の和）が、連通孔３４の総開口面積より小さいことが好ましい。また、排出孔３１１の代わりに、排出部３１の底部に繊維状の物質を配置し、この物質を介して薬液を排出するようにすることもできる。
【００５２】
【実施例】
以下、実施例及び比較例により本発明をより詳細に説明する。ここでは、実施例として図１〜図５で示した薬液供給具を使用する。また、比較例１として図８〜図１１で示した薬液供給具を使用し、比較例２として特許文献１にしたがって作製した薬液含浸タイプの薬液供給具を使用する。そして、フラッシュ毎に薬液容器内に残存する薬液の残存率（初期状態を１００％としたときの残存率）を測定した。実験方法は、以下の通りである。
▲１▼上記各薬液供給部材を取り付けた薬液供給具を、ＴＯＴＯ社製Ｓ７３１Ｂの手洗い部上に設置する。
▲２▼１時間に１回の割合でフラッシュを行い、その度に薬液供給具の重量を測定することで、残存率を導出した。実験は、室温及び水温の異なる以下の２つの条件で行った。
なお、使用する薬液は、以下の表１の通りに作製し、粘度を２５０ｍＰａ・ｓ（２５℃）とした。
【００５３】
【表１】
2004300861.tif 000003
【００５４】
以下、実験結果について説明する。図６は、フラッシュの回数と薬液の残存率の関係を示すグラフであり、図６（ａ）は実験２−Ｉの結果、図６（ｂ）は実験２−ＩＩの結果である。
【００５５】
（２−Ｉ）室温２３℃、水温２５℃
図６（ａ）に示すように、この実験によれば、水温が室温よりも高いため、比較例１では上述したように、薬液容器内への水の混入量は少ないものの、薬液の粘度は確実に低下する。そのため、使用後期には、薬液の減少量が大きくなり、これによって残存率の低下が早まり、使用回数が少なくなっている。これに対して、実施例では、薬液容器への水の流入が防止されているため、ほぼ一定の割合で薬液が減少している。
【００５６】
（２−ＩＩ）室温１５℃、水温５℃
図６（ｂ）に示すように、この実験によれば、比較例１では、使用初期から中期において残存率の非常に低下が緩やかになっている。これは、室温が水温よりも高く、フラッシュ毎に薬液容器が冷やされて容器内が負圧になるため、実験２−Ｉよりも多くの水が薬液容器内に流入しているからである。そして、使用初期から中期に亘る水の混入により粘度が大きく低下して水に近くなっているため、使用後期には薬液が一気に排出されている。これに対して、実施例では、薬液容器への水の流入が防止されているため、実験２−Ｉと同様に、ほぼ一定の割合で薬液が減少している。
【００５７】
なお、比較例２は、薬液容器から排出される薬液が含浸体に吸収されており、この含浸体に流水が直接接触して薬液を洗い流すように構成されている。そのため、含浸体に吸収された薬液は流水によって薄められる。これにより、比較例２では、薄められた薬液を補完するため薬液容器から薬液が排出されやすく、上記各実験を通じ、他の例に比べて薬液の減少が著しく早くなっている。
【００５８】
【発明の効果】
以上の説明から明らかなように、本発明に係る薬液供給具によれば、手洗い部の形態に関わらず使用でき、しかも安定した薬液の供給が可能となる。
【図面の簡単な説明】
【図１】本発明に係る薬液供給具の一実施形態を示す正面図及び側面図である。
【図２】図１の薬液供給具の分解図である。
【図３】図１の薬液供給具に使用される調整部材を示す平面図及び正面断面図である。
【図４】図１の薬液供給具に使用される支持体を示す平面図及び正面断面図である。
【図５】支持体と調整部材との組立を示す斜視図及び組立後の正面断面図である。
【図６】フラッシュ毎の薬液残存率の推移を示すグラフである。
【図７】特許文献１に示す薬液供給具の断面図である。
【図８】従来の薬液供給具の正面図及び側面図である。
【図９】図８の薬液供給具の分解図である。
【図１０】図８の薬液供給具で使用される薬液供給部材の平面図及び側面図である。
【図１１】図８の薬液供給具で使用される調整部材の拡大断面図である。
【符号の説明】
１    薬液容器
１１  口部
２    支持体
２３  案内部材
２３１  溝部
２４  長脚部
３１  排出部
３１１  排出孔
３２１  空気流通孔
３４  連通孔
Ｓ    貯留部
【図１】
2004300861.tif 000004
【図２】
2004300861.tif 000005
【図３】
2004300861.tif 000006
【図４】
2004300861.tif 000007
【図５】
2004300861.tif 000008
【図６】
2004300861.tif 000009
【図７】
2004300861.tif 000010
【図８】
2004300861.tif 000011
【図９】
2004300861.tif 000012
【図１０】
2004300861.tif 000013
【図１１】
2004300861.tif 000014